(57)【要約】容器の物質を混合するためのミキサー（１３０）が提供される。ミキサーは、モータ（６４０）、モータ（６４０）によって制御されて軸を中心に回転するように構成されるフレーム、フレームの第１の端部に配置され、容器を保持するように構成されているキャリア（６１０）、キャリア（６１０）と反対側のフレームの第２の端部に配置されたカウンターウェイト（６２０）を含み、軸に対するカウンターウェイトの位置が調整可能である。ミキサーは、スタンドアロンのユニットであっても、化粧品組成物を調合するための装置に配置されてもよい。【選択図】図１Ａ、図６Ａ
2019534140.tif 000002
【特許請求の範囲】
【請求項１】
容器の物質を混合するためのミキサーであって、
モータ、
前記モータによって制御されて軸を中心に回転するように構成されたフレーム、
前記フレームの第１の端部に配置されており、前記容器を保持するように構成されたキャリア、
前記キャリアと反対側の前記フレームの第２の端部に配置されたカウンターウェイトを含み、
前記軸に対する前記カウンターウェイトの位置が調整可能である前記ミキサー。
【請求項２】
前記カウンターウェイトを前記フレームに沿って移動させるように構成されたベルクランクをさらに含む、請求項１に記載のミキサー。
【請求項３】
前記ベルクランクは、時計回りの方向に移動するとき前記カウンターウェイトを第１の方向に移動させ、反時計回りの方向に移動されるとき前記カウンターウェイトを第２の方向に移動させるように構成されている、請求項２に記載のミキサー。
【請求項４】
前記ベルクランクは、前記モータに連結されており、前記モータの作動に応じて前記時計回りまたは前記反時計回りの方向の１つに移動する、請求項３に記載のミキサー。
【請求項５】
前記フレームは、前記カウンターウェイトの停止位置を判定するために前記ベルクランクの角回転を妨げるように構成された少なくとも１つの停止要素を含む、請求項４に記載のミキサー。
【請求項６】
前記少なくとも１つの停止要素は、前記ベルクランクの時計回りの方向への前記角回転を妨げる第１の停止要素と、前記ベルクランクの反時計回りの方向への前記角回転を妨げる第２の停止要素とを含む、請求項５に記載のミキサー。
【請求項７】
前記少なくとも１つの停止要素は、前記ベルクランクの第１の位置で前記ベルクランクの時計回りの方向への前記角回転を妨げて、前記ベルクランクの第２の位置で前記ベルクランクの反時計回りの方向への前記角回転を妨げるように構成された単一の停止要素を含む、請求項５に記載のミキサー。
【請求項８】
手動調整ノブであって、前記調整ノブの手動の回転に基づいて、前記軸に対する前記カウンターウェイトの位置を調整するように構成された前記手動調整ノブをさらに含む、請求項１に記載のミキサー。
【請求項９】
前記キャリアが、前記キャリアに配置されているときにそれぞれ異なる重心を有する物質を貯蔵する、複数の異なる大きさの容器を保持するように構成されている、請求項１に記載のミキサー。
【請求項１０】
前記軸に対する前記カウンターウェイトの位置は、前記キャリアに保持されている前記複数の異なる大きさの容器から、前記容器の前記重心に対応して調整されるように構成されている、請求項１０に記載のミキサー。
【請求項１１】
前記フレームと前記カウンターウェイトとの間に配置されており、前記軸に対する前記カウンターウェイトの位置が変化すると、前記カウンターウェイトの垂直位置を変化させるように構成された傾斜部材をさらに含む、請求項１に記載のミキサー。
【請求項１２】
前記キャリアが、２つの異なる体積の大きさの容器各々が前記キャリアに配置されているときに、前記２つの異なる体積の大きさの容器各々が、同じ垂直の重心位置を有するように構成された凹部をさらに含む、請求項１に記載のミキサー。
【請求項１３】
前記２つの異なる体積の大きさの容器は、各容器の外面において異なる直径を有する、請求項１２に記載のミキサー。
【請求項１４】
化粧品組成物を調合するための装置であって、
化粧品組成物を貯蔵するための貯蔵ユニット、
前記化粧品組成物を容器に調合するための調合ユニット、及び
請求項１に記載の前記ミキサー
を含む前記装置。
【請求項１５】
前記軸に対する前記カウンターウェイトの位置は、前記容器に調合されるように構成された２つの体積の大きさの容器の一方に従って調整可能であり、前記装置は前記調合ユニットが前記化粧品組成物を調合した前記容器の前記大きさの判定に基づいて前記カウンターウェイトの位置を自動的に調整するように前記ミキサーを制御するように構成されている、請求項１３に記載の装置。
【発明の詳細な説明】
【技術分野】
【０００１】
関連出願の相互参照
本願は、その全内容が参照により本明細書に組み込まれる、２０１６年９月２９日に出願された米国特許出願第１５／２８０，５２７号から得る優先権の利益を主張する。
【背景技術】
【０００２】
本明細書の開示は、概して、特定の使用者が特定の肌の関心事に対処するためにブレンド及び調合することができるブースター組成物及びベース組成物の組み合わせを判定するためのシステム、装置、及び方法に関する。
【発明の概要】
【０００３】
実施形態によれば、容器の物質を混合するためのミキサーであって、モータ、モータによって制御されて軸を中心に回転するように構成されたフレーム、フレームの第１の端部に配置されており、容器を保持するように構成されたキャリア、キャリアと反対側のフレームの第２の端部に配置されたカウンターウェイトを含み、軸に対するカウンターウェイトの位置が調整可能であるミキサーが提供される。
【０００４】
実施形態によれば、ミキサーは、カウンターウェイトをフレームに沿って動かすように構成されたベルクランクをさらに含む。
【０００５】
実施形態によれば、ベルクランクは、時計回りの方向に移動するとカウンターウェイトを第１の方向に移動させ、反時計回りの方向に移動されるとカウンターウェイトを第２の方向に移動させるように構成されている。
【０００６】
実施形態によれば、ベルクランクは、モータに連結されており、モータの作動に応じて時計回りまたは反時計回りの方向の１つに移動する。
【０００７】
実施形態によれば、フレームは、カウンターウェイトの停止位置を判定するためにベルクランクの角回転を妨げるように構成された少なくとも１つの停止要素を含む。
【０００８】
実施形態によれば、少なくとも１つの停止要素は、ベルクランクの時計回りの方向への角回転を妨げる第１の停止要素と、反時計回りの方向へのベルクランクの角回転を妨げる第２の停止要素とを含む。
【０００９】
実施形態によれば、少なくとも１つの停止要素は、ベルクランクの第１の位置でベルクランクの時計回りの方向への角回転を妨げて、ベルクランクの第２の位置で反時計回りの方向へのベルクランクの角回転を妨げるように構成された単一の停止要素を含む。
【００１０】
実施形態によれば、ミキサーは、手動調整ノブであって、調整ノブの手動の回転に基づいて、軸に対するカウンターウェイトの位置を調整するように構成された手動調整ノブをさらに含む。
【００１１】
実施形態によれば、キャリアは、キャリアに配置されているときにそれぞれ異なる重心を有する物質を貯蔵する、複数の異なる大きさの容器を保持するように構成されている。
【００１２】
実施形態によれば、軸に対するカウンターウェイトの位置は、キャリアに保持されている複数の異なる大きさの容器から、容器の重心に対応して調整されるように構成されている。
【００１３】
実施形態によれば、ミキサーは、フレームとカウンターウェイトとの間に配置されており、軸に対するカウンターウェイトの位置が変化すると、カウンターウェイトの垂直位置を変化させるように構成された傾斜部材をさらに含む。
【００１４】
実施形態によれば、キャリアは、２つの異なる体積の大きさの容器各々がキャリアに配置されているときに、２つの異なる体積の大きさの容器各々が、同じ垂直の重心位置を有するように構成された凹部をさらに含む。
【００１５】
実施形態によれば、２つの異なる体積の大きさの容器は、各容器の外面において異なる湾曲角度を有し、各々の容器が異なる高さで同じ幅を備えるようにする。
【００１６】
実施形態によれば、化粧品組成物を調合するための装置であって、化粧品組成物を貯蔵するための貯蔵ユニット、化粧品組成物を容器に調合するための調合ユニットを含む装置に、ミキサーが配置されている。
【００１７】
実施形態によれば、軸に対するカウンターウェイトの位置は、容器に配置されるように構成された２つの体積の大きさの容器の一方に従って調整可能であり、装置は調合ユニットが化粧品組成物を調合した容器の大きさの判定に基づいてカウンターウェイトの位置を自動的に調整するようにミキサーを制御するように構成されている。
【００１８】
本特許または本願の記録は、カラーで作成された少なくとも１つの図面を含む。カラーの図面（複数可）を含むこの特許または特許出願公開のコピーは、要求及び必要な料金の支払いにより、官庁により提供されよう。
【００１９】
添付の図面と関連して考慮するとき、以下の詳細な説明を参照することによって、より良く理解されると、本開示がより完全に理解され、それに付随する利点の多くが容易に理解されるようになる。
【図面の簡単な説明】
【００２０】
【図１Ａ】実施形態によるブレンド装置の異なる図を示す。
【図１Ｂ】実施形態によるブレンド装置の異なる図を示す。
【図１Ｃ】実施形態によるブレンド装置の異なる図を示す。
【図２−１】図２Ａ〜図２Ｂは、実施形態によるブレンド装置内のカルーセルの詳細な図である。
【図２−２】図２Ｃは、実施形態によるブレンド装置内のカルーセルの詳細な図である。
【図２−３】図２Ｄは、実施形態によるブレンド装置内のカルーセルの詳細な図である。
【図３】図３Ａ及び図３Ｂは、実施形態による例示的なカートリッジの詳細な図を示す。
【図４Ａ】実施形態によるブレンド装置のディスペンサの正面図及び側面図を示す。
【図４Ｂ】実施形態によるブレンド装置のディスペンサの正面図及び側面図を示す。
【図５】実施形態による、カートリッジの位置を検知するセンサを含むブレンド装置の図を示す。
【図６Ａ】様々な実施形態による、ミキサー１３０及びミキサーに関連する構成要素の詳細な図を示す。
【図６Ｂ】様々な実施形態による、ミキサー１３０及びミキサーに関連する構成要素の詳細な図を示す。
【図６Ｃ】様々な実施形態による、ミキサー１３０及びミキサーに関連する構成要素の詳細な図を示す。
【図６Ｄ】様々な実施形態による、ミキサー１３０及びミキサーに関連する構成要素の詳細な図を示す。
【図６Ｅ】様々な実施形態による、ミキサー１３０及びミキサーに関連する構成要素の詳細な図を示す。
【図６Ｆ】様々な実施形態による、ミキサー１３０及びミキサーに関連する構成要素の詳細な図を示す。
【図６Ｇ】様々な実施形態による、ミキサー１３０及びミキサーに関連する構成要素の詳細な図を示す。
【図６Ｈ】様々な実施形態による、ミキサー１３０及びミキサーに関連する構成要素の詳細な図を示す。
【図６Ｉ】様々な実施形態による、ミキサー１３０及びミキサーに関連する構成要素の詳細な図を示す。
【図６Ｊ】様々な実施形態による、ミキサー１３０及びミキサーに関連する構成要素の詳細な図を示す。
【図６Ｋ】様々な実施形態による、ミキサー１３０及びミキサーに関連する構成要素の詳細な図を示す。
【図７】実施形態による、装置に含まれるハードウェアのブロックダイアグラムを示す。
【図８】実施形態による、ブレンド装置によって実行されるプロセスまたはアルゴリズムのフローチャートを示す。
【図９】実施形態によるブレンド装置のブースター組成物またはベース組成物の現在のセットを判定するためのサブプロセスまたはアルゴリズムの例を示す。
【図１０】実施形態による、カルーセルを制御してカートリッジをディスペンサに移動させるためのプロセスまたはアルゴリズムの例を示す。
【図１１Ａ】実施形態による、カートリッジから出力容器へ組成物を調合するためのプロセスまたはアルゴリズムの例を示す。
【図１１Ｂ】実施形態による、ミキサーによる混合プロセスを制御するために実行されるプロセスまたはアルゴリズムの例を示す。
【図１２】実施形態による、ブレンド装置を実装するシステム全体を示す。
【図１３】実施形態による、システムによって実行されるプロセスを示す。
【図１４Ａ】図１４Ａは、実施形態による、システムの肌診断後の情報処理装置の出力画面を示す。
【図１４Ｂ】図１４Ｂは、実施形態による、システムの肌診断後の情報処理装置の出力画面を示す。
【図１５】実施形態による、システムにおいて肌診断を行わない出力画面の例を示す。
【図１６】実施形態による、レシピに含まれるベース組成物の種類を選択するように使用者に促すための出力画面の例を示す。
【図１７】実施形態による、明るい肌理とリッチな肌理との間でブレンド組成物の肌理の種類を選択するように使用者に促すための出力画面の例を示す。
【図１８】実施形態による、レシピに含まれる香料の種類を選択するように使用者に促すための出力画面の例を示す。
【図１９】実施形態による、特定のレシピを判定するために使用される規則のセットの例を示す。
【図２０】実施形態による、レシピを判定するためのプロセスまたはアルゴリズムを示す。
【図２１】実施形態による、システムを使用してエンドツーエンドプロセスがどのように進行し得るかの例を提示する詳細なフローチャートを示す。
【発明を実施するための形態】
【００２１】
同様の参照番号は、いくつかの図を通して同一または対応している部分であることを示している。
【００２２】
図１は、実施形態による化粧品組成物を調合し混合するためのブレンド装置１００を示す。
【００２３】
ブレンド装置１００の背面図である図１Ａに示しているように、装置は、カートリッジ１２０を保持するためのカートリッジホルダとして機能するカルーセル１１０を含む。装置は、プラットフォーム１４０に配置されたミキサー１３０をさらに含む。プラットフォーム１４０は、カルーセル１１０がプラットフォーム１４０の周囲で回転できるように配置される。装置は、外側パネル１５０を含むハウジングをさらに含み、上部パネル（図示せず）は、ヒンジ１５５を使用して開閉するアクセスドアとして機能する。
【００２４】
図１Ｂは、装置１００の正面図を示し、装置１００がディスペンサ１４０をさらに含むことを示す。ディスペンサ１４０は、調合モータ１４２及び調合プランジャ１４４を含む。装置は、プラットフォーム１４０下方に配置されている容器受容領域１５０をさらに含む。それは、ベースプレート１５２と、容器１５４を保持するための容器ホルダ１５２とを含む。
【００２５】
図１Ｃは、主要回路基板１７０、無線インターフェース１７２、近距離無線通信（ＮＦＣ）インターフェース１７４、及び電源１７６などの装置１００のさらなる詳細を示す。非限定的な例において、無線インターフェース１７２は、Ｂｌｕｅｔｏｏｔｈインターフェースでもよいが、当業者は理解されるように、異なるタイプの無線インターフェースでもよい。
【００２６】
図２Ａ〜図２Ｄは、カルーセル１１０の詳細な図を示す。図２Ａに示すように、カルーセルは、カートリッジを受け入れるための異なるスロット２１０及び２１２を含む。スロット２１０は、ブースター組成物を保持するカートリッジを受容するように寸法決めされている。スロット２１２は、セラムベースまたはクリームベースなどのベース組成物を保持するカートリッジを受容するように寸法決めされる。ベース組成物用のカートリッジは、ベース組成物用に使用する量と頻度の増加を考慮して、ブースター組成物用のカートリッジよりも大きくなるように設定されているので、スロット２１２はスロット２１０よりも大きいということが分かる。図２Ａは、円形縁部２１６によって画定された軌道に沿って移動するように構成された車輪２１４をカルーセルが含むことをさらに示している。さらに、中央部２１８は、カルーセル１１０の内部を図２Ｂに示すモータに取り付ける。
【００２７】
図２Ｂは、伝達ギア２２２を回転させるように動作するカルーセルモータ２２０を示しており、伝達ギア２２２はひいてはカルーセルの中央部分２１８に取り付けられた受容ギア２２４を移動させる。
【００２８】
図２Ｃは、カルーセル１１０の底面図を示す。図２Ｃは、ブースタースロットにあるカートリッジ１２０に対するＮＦＣインターフェースの位置を示す。ＮＦＣインターフェースの最大通信距離は平均４ｃｍなので、ＮＦＣインターフェースはカートリッジに非常に近い位置に配置される。（図３Ｂに示している）ベースカートリッジ３０４が追加された大きさであることを考慮するために、ＮＦＣインターフェースは、カルーセルが移動してＮＦＣインターフェースがベースカートリッジ３０４に接触したときにＮＦＣが柔軟に位置を調整できるようにするバネ付勢取り付けアーム２２６に取り付けられる。この構成では、ＮＦＣインターフェースは、カートリッジのサイズの違いと無関係に、ＮＦＣインターフェースに隣接して配置されるブースターカートリッジまたはベースカートリッジのいずれかに近接したままである。
【００２９】
図３Ａ及び図３Ｂは、カルーセル１１０の受容領域２１０または２１２に配置された例示的なカートリッジの詳細な図を示す。図３Ａは、本体部分３２０、空気ノズル３２２、及び上部カバー３２４を含むブースターカートリッジ３０２を示しており、上部カバー３２４は調合プランジャ１４４により押し下げられたときに本体部分３２０のシャフトを下に動かすように構成された移動式ディスク３２６を含む。図３Ｂは、ブースターカートリッジ３０２と同様の構成要素を有するが、より大きい体積を扱うためにより大きな幅を有するベースカートリッジ３０４を示す。
【００３０】
各カートリッジは、カートリッジが一杯になると初期化されるＮＦＣタグ３３０を有する。一例では、ＮＦＣタグはカートリッジ内のシリンジに接着される。カートリッジは、実際にこのシリンジを覆ってＮＦＣタグを視覚的に隠し、向きが正しいことを確実にするシースで構成されている。装置１００のアクセスパネルが開閉されるたびに、スロット２１０または２１２に挿入された任意のカートリッジのＮＦＣタグのそれぞれに対してスキャンが実行される。ＮＦＣインターフェースがスキャンを実行した後、装置は次いで各カートリッジについて以下の点を学習する：
−  成分ＩＤ
−  成分のロット番号
−  有効期限
−  体積
【００３１】
さらに、調合操作が実行された後、（古い体積から調合された体積を差し引くことに基づいて）新たな体積をＮＦＣに書き込むことによって体積が更新される。
【００３２】
図４Ａ及び図４Ｂはそれぞれ、調合モータ１４２及び調合プランジャ１４４を含むディスペンサ１４０の正面図及び側面図を示す。調合モータ１４４は、カルーセルがカートリッジを調合領域内に移動させると、ＣＰＵから信号を受信する。調合モータが作動して伝達スピンドル４０２を回転させ、伝達スピンドル４０２が伝達ベルト４０４による連結を介して受容スピンドル４０６を回転させる。スピンドル４０６の回転によりディスク４０８（伸縮部４１０の背後に示される）が下方に動く。ネジ及びネジ山機構４２２（図４Ｂ参照）によりディスク４０８がスピンドル４０６に取り付けられるからである。ディスク４０８は、移動プラットフォーム４１４に取り付けられており、これはディスク４０８が上下に移動するときシャフト４１６を上下に移動するように設計されている。シャフトは固定されたプラットフォーム４２０に取り付けられている。図４Ａの前景では、伸縮部４１０及びプランジャ１４４がディスペンサ１４０のプラットフォーム４１４の両側に取り付けられている。伸縮部４１０の上部は、同様にモータ１４２を支える固定式プラットフォーム４１８に取り付けられている。上述のように、移動するプラットフォーム４１４が上下に動かされると、プランジャ１４４が上下に動かされ、それに応じて伸縮部４１０が収縮または拡張する。
【００３３】
一例では、図５に示すセンサ５０２を使用することによって、カートリッジ５２０のうちの１つがディスペンサ１４０の真下の適切な位置に移動したことが検出される。センサ５０２は、図５に示すようにカルーセルの下にある薄い金属ストリップである金属プレート５０４の変形を検出する、誘導センサであってよい。金属プレート５０４の変形は、金属プレート内の穴の場合がある。
【００３４】
一例では、カルーセル５１０の誘導センサは、カルーセルの元の位置（「ＨＯＭＥ」位置）を検出するだけであり、駆動ギア５０６のモータステップカウントは、モータ５０８によって駆動されてベアリング５１２の周りを移動し、ＨＯＭＥ位置からブースター／ベース位置へ正確に移動するのに十分に信頼性があり、また十分に反復可能である。別の例では、各ブースターまたはベースが調合領域内に移動したとき、またはＮＦＣインターフェースの検出点に移動したときを表す金属プレートには、変形または穴がある。センサ５０２の感度は、感度調整ネジ５１４で調整することができる。
【００３５】
ＣＰＵは、ロードセルを使用して閉ループで目標体積に到達したときを検出するように構成される。ロードセル（図示せず）は、容器ホルダ１５２の下に配置されている。ロードセルは充填されている容器ホルダを秤量することによって調合された実際の体積を測定し、調合モータに信号を送信して、容量に達したら、直ちにプランジャを退縮させる。さらに、プランジャには、カートリッジに配置された金属リングを検出することができるセンサ（図示せず）があるので、プランジャはカートリッジに達するまで急速に下降し、次に減速する。
【００３６】
図６Ａ及び図６Ｂは、キャリア６１０が容器を保持する混合側と、カウンターウェイト６２０を含むバランス調整側とを含む、容器内に配置されたブースター組成物（複数可）とベース組成物とを混合する働きをするミキサー１３０の詳細な図を示す。回転キャリア６３０はバランス調整側Ａと混合側Ｍとを横切って延びる。駆動モータ６４０は駆動シャフト６４５を介してキャリア６３０を駆動する働きをする。
【００３７】
混合側では、キャリア６１０は、回転キャリア６３０の回転角度に対してある角度で配置された軸に沿って容器を回転させるために図６Ｂに示される駆動シャフト６５０によって駆動される回転キャリアである。図６Ａ及び図６Ｂは、プーリ機構６６５の補助により、ベルト６６０が駆動モータ６４０による回転を連結して、キャリア６１０を上述の角度で駆動することを示している。したがって、キャリア６１０を駆動軸６５０に沿って回転させるために、別個のモータは必要ない。
【００３８】
ミキサーは、コネクタ６７０及びプラットフォーム６８０によってプラットフォーム１４０に取り付けられている。
【００３９】
図６Ｃ〜図６Ｄはミキサーの別の実施形態を示しており、それにおいては、カウンターウェイト６２１が、どのタイプの容器が混合のためキャリア６１０に配置されるかに応じて、水平方向及び垂直方向に、キャリア６１０の重心をより正確に釣り合わせるように調整されるよう構成される。図６Ｃに示すミキサーは「反時計回りモード」にあり、レバー６２６によってベルクランク６２２に取り付けられている。ベルクランク６２２はミキサーのモータシャフトに取り付けられており、モータがエネルギー付与されると反時計回りに回転する。これにより、カウンターウェイト６２１は傾斜ステージ６２４の下方で回転軸の中心に向かって所望の位置に移動する。その後ベルクランクはフレームにトルクを伝達する調節可能なストップにぶつかり、その結果フレームはシステム全体を回転させることができる。
【００４０】
図６Ｄは、図６Ｃのミキサーを示すが、「時計回り」モードである。図６Ｄでは、モータがエネルギー付与されるとベルクランク６２２が時計回りに回転し、これによりカウンターウェイト６２１が傾斜ステージ６２４の上方の所望の位置に移動し、回転軸から遠くなる。その後ベルクランクはフレームにトルクを伝達する調節可能なストップにぶつかり、その結果フレームはシステム全体を回転させることができる。
【００４１】
図６Ｃ及び図６Ｄから、ある大きさの容器に対応するモード（時計回りまたは反時計回り）の選択に基づいてカウンターウェイトを自動的に位置決めすることができることが分かり、このことが後述の図６Ｉと図６Ｊでより詳細に説明されている。
【００４２】
図６Ｅ〜図６Ｆは、ミキサーの別の実施形態を示しており、これは傾斜がないことを除いて、図６Ｃ〜図６Ｄの実施形態と同様である。このミキサーでは、位置を切り替えるときにカウンターウェイトを単独で傾斜させて動かす必要はない。なぜなら図６Ｅ〜図６Ｆのキャリアは、異なる大きさの２つの異なる容器がそれらのそれぞれの組成物を同じ重心に保持することを可能にする凹部６１１を含むからである。この例では、カウンターウェイトは、図６Ｃ〜図６Ｄに関して上述したのと同様の方法で水平方向に移動するように構成することができる。また、図６Ｅ〜図６Ｆにおいては、ベルクランクは、図６Ｃ〜図６Ｄに示すベルクランクとは異なる構成を有し、そのため反時計回りモード（図６Ｅ）はカウンターウェイトを回転軸からさらに遠くに移動させ、時計回りモード（図６Ｆ）はカウンターウェイトを回転軸の近くに移動させる。図６Ｅは、反時計回りモードにおけるカウンターウェイトの位置を示している。
【００４３】
図６Ｇ〜図６Ｈはスタンドアロンミキサーハウジング６２７を示し、これはミキサーをブレンド装置１００から離して配置することを可能にする。スタンドアロンミキサーハウジング６２７は、図６Ｇに示しているように蓋及び開口部を含む。
【００４４】
図６Ｈは、ハウジング６２７に配置されたミキサーを示す。図６Ｈに示されたミキサーは、手動で調整可能なミキサー６２８であり、カウンターウェイトを、カウンターウェイトアジャスタ６２８によって回転軸から手動で遠近に動かすことができる。カウンターウェイトアジャスタは、ネジ６２９の全長に沿ってカウンターウェイトの位置を調整することによってカウンターウェイトを特定の位置に移動させるように構成され、含んでいる。
【００４５】
手動で調整可能なミキサーが図６Ｈに示されているが、図６Ａ〜図６Ｆに示されているミキサーの実施形態のいずれもがスタンドアロンミキサーハウジング６２７で使用することができる。
【００４６】
図６Ｊは、図６Ｈに示すミキサーのカウンターウェイトの詳細な図を示す。カウンターウェイトが、図６Ｈに示されるネジ６２９を受ける貫通孔６３２を含むことが分かる。一例では、カウンターウェイトは約２２６グラムであってもよいが、組成物を充填した容器の重量に応じて、必要なときに異なる質量を有するカウンターウェイトを使用してもよい。
【００４７】
図６Ｉは、上記のミキサーの実施形態において使用され得る２種類の容器の例を示す。第１の容器は３０ｍＬの容積を保持するように構成され、それは一杯になると１０８．６６ｇの重量を有し、地面から約２５．４２ｍｍの重心を有する。第２の容器６３４は、５０ｍＬの容積を保持し、１４２．９０ｇの重量を有し、地面から約３０．９５ｍｍの重心を有するように構成される。必要に応じて異なるサイズの容器を使用することができ、これらは例示的な例にすぎない。例えば、図６Ｋは、代替の寸法を有する容器６３５及び６３６の代替の例を示す。いずれにせよ、ミキサーのキャリアとカウンターウェイトは、使用している容器の寸法に関して知っていることに基づいて構成することが好ましい。
【００４８】
これらの容器が図６Ｃ〜図６のミキサーで使用されるとき、各容器の重心は、それらがキャリア６１０に挿入されるときに垂直方向に異なって位置することになり、したがって、傾斜６２４を使用して、この違いを考慮してカウンターウェイトの適切な垂直方向を確保することができる。この例示的な例では、容器６３３が使用されているときにカウンターウェイトは図６Ｃに示している位置にあり、容器６３４が使用されているときにカウンターウェイトは図６Ｃに示している位置にある。
【００４９】
容器がミキサーで使用されるとき、または図６Ｄと図６Ｆでは、それらがキャリア６３６に挿入されるときに重心が垂直方向に同様の位置に配置されるように構成される。これは、図６Ｊに示しているように各容器の外面６３７の異なる直径が与えられた、異なる相対的な位置で、凹部６１１が各容器に接触するために可能であり、その結果、より大きな容器６３４が、キャリア６３６により深く入れ子になり、キャリアの底面に接触することができるが、一方で、容器６３３は、キャリアの底面に接触することなく凹部に接触する。
【００５０】
ミキサーが装置１００に組み込まれている場合、混合する前に、組成物を調合したときにどのサイズの容器を使用したかを正確に知ることができる。したがって、ミキサーは、ミキサーに挿入される予定の容器の大きさに一致するように（例えば、モータの回転方向を設定することによって）カウンターウェイトの位置を自動的に決定するように構成することができる。この自動的な決定は、以下に記載される回路により実行できる。
【００５１】
図７は、装置に含まれるハードウェアのブロック図を示す。また、中央処理装置（ＣＰＵ）７１０は、カルーセルモータ制御回路７２０、ＮＦＣインターフェース７３０、ディスペンサ制御回路７４０（調合モータ制御回路及び誘導センサ回路を含む）、ロードセル条件付け回路７５０、ミキサー制御回路７６０などの装置に含まれる別々の回路構成要素を一次制御する。ＣＰＵ７１０はまた、任意の入力／出力装置（キーボードやマウスなど）、メモリ７８０、無線通信インターフェース回路７７４、ユニバーサルシリアルバス（ＵＳＢ）コントローラ７７６、ＬＥＤドライバ７７８、及びディスプレイモジュール７８０を制御する。ＬＥＤドライバは、容器ホルダ１５２を照らす１つまたは複数のＬＥＤのパルスを制御する。
【００５２】
実施形態では、回路は、とりわけ、プロセッサ（例えば、マイクロプロセッサ、量子プロセッサ、キュビットプロセッサなど）、中央処理装置（ＣＰＵ）、デジタル信号プロセッサ（ＤＳＰ）、特定用途向け集積回路（ＡＳＩＣ）、フィールドプログラマブルゲートアレイ（ＦＰＧＡ）など、またはそれらの任意の組み合わせなどの１つ以上のコンピューティングデバイスを含み、ディスクリートのデジタルまたはアナログ回路素子または電子機器、またはそれらの組み合わせを含むことができる。実施形態では、モジュールは、複数の所定の論理構成要素を有する１つまたは複数のＡＳＩＣを含む。実施形態では、モジュールは、それぞれが複数のプログラマブル論理構成要素を有する１つまたは複数のＦＰＧＡを含む。
【００５３】
実施形態では、回路は、互いに動作可能に結合された（例えば、通信的、電磁的、磁気的、超音波的、光学的、誘導的、電気的、容量的に結合された、無線結合された、など）１つまたは複数の構成要素を含む。実施形態では、回路は１つまたは複数の遠隔に配置された構成要素を含む。実施形態では、遠隔に配置された構成要素は、例えば無線通信を介して動作可能に結合される。実施形態では、遠隔に配置された構成要素は、例えば、１つまたは複数の通信モジュール、受信機、送信機、送受信機などを介して動作可能に連結される。
【００５４】
実施形態では、図７に示すＣＰＵ７１０または他の構成要素のいずれかを、代替の回路の要素で置き換えることができる。回路の例は、例えば命令または情報を記憶するメモリを含む。メモリの非限定的な例は、揮発性メモリ（例えば、ランダムアクセスメモリ（ＲＡＭ）、ダイナミックランダムアクセスメモリ（ＤＲＡＭ）など）、不揮発性メモリ（例えば、読み出し専用メモリ（ＲＯＭ）、電気的消去可能プログラマブル読み出し専用メモリ（ＥＥＰＲＯＭ）、コンパクトディスク読み出し専用メモリ（ＣＤ−ＲＯＭ）など）、永続的メモリなどを含む。メモリのさらなる非限定的な例には、消去可能プログラマブル読み出し専用メモリ（ＥＰＲＯＭ）、フラッシュメモリなどが含まれる。実施形態では、メモリは、例えば、１つまたは複数の命令、情報、または電力バスによって１つまたは複数のコンピューティングデバイスに結合される。
【００５５】
実施形態では、回路は、１つまたは複数のコンピュータ可読媒体ドライブ、インターフェースソケット、ユニバーサルシリアルバス（ＵＳＢ）ポート、メモリカードスロットなど、及び１つまたは複数の入出力コンポーネント、例えば、グラフィカルユーザインターフェース、ディスプレイ、キーボード、キーパッド、トラックボール、ジョイスティック、タッチスクリーン、マウス、スイッチ、ダイヤルなど、及びその他の任意の周辺機器を含む。実施形態では、モジュールは、例えば、ターンオン電圧の検出されたシフトに応じて１つまたは複数の組織熱特性を判定することに関連する少なくとも１つのパラメータを、制御（電気的、電気機械的、ソフトウェア実装された、ファームウェア実装された、または他の制御、またはそれらの組み合わせ）するように構成された少なくとも１つのコンピューティングデバイスに動作可能に連結される１つまたは複数の使用者の入出力コンポーネントを含む。
【００５６】
実施形態では、回路は、信号搬送媒体（例えば、コンピュータ可読メモリ媒体、コンピュータ可読記録媒体など）を受け入れるように構成されたコンピュータ可読媒体ドライブまたはメモリスロットを含む。実施形態では、開示された方法のいずれかをシステムに実行させるためのプログラムは、例えば、コンピュータ可読記録媒体、信号搬送媒体などに記憶することができる。信号搬送媒体の非限定的な例は、記録可能型の媒体、例えば磁気テープ、フロッピーディスク、ハードディスクドライブ、コンパクトディスク（ＣＤ）、デジタルビデオディスク（ＤＶＤ）、ブルーレイディスク、デジタルテープ、コンピュータメモリなど、ならびに伝達型の媒体、例えばデジタルまたはアナログの通信媒体（例えば、光ファイバケーブル、導波路、有線通信リンク、無線通信リンク（例えば、受信機、送信機、トランシーバ、送信ロジック、受信ロジックなど）を含む。信号搬送媒体のさらなる非限定的な例としては、ＤＶＤ−ＲＯＭ、ＤＶＤ−ＲＡＭ、ＤＶＤ＋ＲＷ、ＤＶＤ−ＲＷ、ＤＶＤ−Ｒ、ＤＶＤ＋Ｒ、ＣＤ−ＲＯＭ、スーパーオーディオＣＤ、ＣＤ−Ｒ、ＣＤ＋Ｒ、ＣＤ＋ＲＷ、ＣＤ−ＲＷ、ビデオコンパクトディスク、スーパービデオディスク、フラッシュメモリ、磁気テープ、光磁気ディスク、ＭＩＮＩＤＩＳＣ、不揮発性メモリカード、ＥＥＰＲＯＭ、光ディスク、光学的記憶装置、ＲＡＭ、ＲＯＭ、システムメモリ、ウェブサーバなどが挙げられるが、これらに限定されない。
【００５７】
実施形態では、回路は、音響変換器、電気音響変換器、電気化学変換器、電磁変換器、電気機械変換器、静電変換器、光電変換器、ラジオ音響変換器、熱電変換器、または超音波変換器を含む。
【００５８】
実施形態では、回路は、変換器と動作可能に結合させた電気回路（例えば、アクチュエータ、モータ、圧電結晶、微小電気機械システム（ＭＥＭＳ）など）を含む。実施形態では、回路は、少なくとも１つのディスクリート電気回路、少なくとも１つの集積回路を有する電気回路、または少なくとも１つの特定用途向け集積回路を有する電気回路を有する電気回路を含む。実施形態では、回路は、コンピュータプログラムによって構成された汎用コンピューティングデバイス（例えば、本明細書に記載のプロセス及び／またはデバイスを少なくとも部分的に実行するコンピュータプログラムによって構成された汎用コンピュータ、または本明細書に記載のプロセス及び／またはデバイスを少なくとも部分的に実行するコンピュータプログラムにより構成されるマイクロプロセッサ）を形成する電気回路、メモリデバイスを形成する電気回路（例えば、（ランダムアクセス、フラッシュ、読み出し専用などの）メモリの形態）、通信機器（例えば、モデム、通信スイッチ、光−電気機器など）を形成する電気回路、及び／またはそれらに対する任意の非電気的なアナログ、例えば光学的アナログなどのアナログを含む。
【００５９】
図８は、ブレンド装置１００の回路によって制御されるプロセスまたはアルゴリズムのフローチャートを示す。プロセスの開始後、ステップ８１０において、レシピがメモリから受信される。ステップ８２０で、回路は正しいカートリッジが取り付けられているかどうかを判定する。正しいカートリッジが挿入されている場合、プロセスはステップ８４０に進み、そうでない場合、ステップ８３０で、装置は正しいカートリッジを挿入する必要があることを示すメッセージを使用者に出力する。ステップ８４０で、レシピの第１のカートリッジをディスペンサに移動するように、カルーセルが制御される。ステップ８５０において、ディスペンサは、レシピに従ってカートリッジの組成物の必要量を調合するように制御される。ステップ８６０で、回路はレシピについて追加のカートリッジが必要かどうかを判定する。８６０での判定が「はい」である場合、次にステップ８７０で、プロセスが進んでレシピの次のカートリッジをディスペンサに移動し、またプロセスはステップ８５０から進む。ステップ８６０で「いいえ」である場合、プロセスは終了する。
【００６０】
図９は、装置１００のブースター組成物またはベース組成物の現在のセットを判定するために装置１００の回路により実行されるサブプロセスまたはアルゴリズムの一例を示す。ステップ９１０で、レシピをメモリから受信する。ステップ９２０で、回路はカルーセルに格納されている現在のカートリッジをチェックする。ステップ９３０で、回路は、カルーセルに格納されている現在のカートリッジが、受け取ったレシピに必要なすべてのカートリッジを含むかどうかを判定する。この判定が「いいえ」である場合、ステップ９４０でメッセージを使用者に出力して、必要なカートリッジを挿入するように使用者に要求する。判定が「はい」である場合、サブプロセスは終了し、回路はカートリッジをディスペンサに移動させるプロセスを進める。
【００６１】
図１０は、方法全体のサブプロセスとして、カルーセルを制御してカートリッジをディスペンサに移動させるために装置１００の回路によって実行されるプロセスまたはアルゴリズムの例を示している。ステップ１０１０で、カルーセルは、レシピの最初の（または次の）カートリッジをディスペンサに移動するように制御される。ステップ１０２０で、調合サブプロセス（図１１に示すように）が実行される。ステップ１０３０で、回路は追加のレシピ要素がレシピにあるかどうかを判定する。この判定が「はい」の場合、プロセスはステップ１０１０で繰り返される。この判定が「いいえ」の場合、プロセスは終了する。この時点で、装置は、レシピに対応する組成物が容器に完全に調合されたことを示すメッセージを、使用者に出力することができる。
【００６２】
図１１Ａは、カートリッジから出力容器へ組成物を調合するために回路によって実行されるプロセスまたはアルゴリズムの例を示す。ステップ１１１０で、回路は、カートリッジがディスペンサの所定の位置にあることを示す信号を受信する。ステップ１１２０において、回路はディスペンサのモータを制御して、レシピ要素の指定された量に従って、プランジャを下方に移動させる。上述のように、体積の表示は、カートリッジまたはカルーセルに配置されたロードセルにより提示することができ、ステップ１１３０で目標体積が調合されたときに回路がロードセルから学習する。この時点で、ステップ１１４０において、回路はディスペンサモータを制御してディスペンサのプランジャの動きを停止及び／または逆転させ、それにより調合のサブプロセスを終了する。
【００６３】
図１１Ｂは、ミキサー１４０による混合プロセスを制御するために実行されるプロセスまたはアルゴリズムの例を示す。ステップ１１５０において、ブレンド装置１００の使用者が出力容器をミキサーキャリアに挿入し、アクセスパネルを閉じた後、回路はミキサーを起動するための開始信号を受信する。ステップ１１６０で、回路は、キャリアを所定の速度で所定の時間回転させるようにミキサーモータを制御する。例えば、そのような速度は１２００ＲＰＭまたは２０００ＲＰＭであり得、所定の時間は３０秒または６０秒であり得る。ステップ１１７０で、所定の時間に達すると（または停止信号が使用者によって手動で入力されると）、回路によりミキサーモータが停止する。ステップ１１８０で、回路は、混合が完了したことを示すメッセージを出力するように表示モジュール７８０を制御し、その後プロセスは終了する。
【００６４】
図１２は、上述の装置１００を実施するシステム１２００を示す。図１２に示すように、システムは、少なくとも装置１００、情報処理装置１２１０、及びプリンタ１２２０を含む。任意選択で、システムは、クラウドコンピューティング環境の一部として実装される１つまたは複数の外部サーバ装置または情報処理装置１２３０を、さらに含むことができる。さらに、システムは、装置１００に挿入されるべきブースター組成物及びベース組成物用の在庫である在庫１２４０を任意に含み得る。
【００６５】
情報処理装置１２１０は、パーソナルコンピュータ（ＰＣ）、ラップトップコンピュータ、ＰＤＡ（パーソナルデジタルアシスタント）、スマートフォン、タブレット端末、ＵＭＰＣ（ウルトラモバイルピーシー）、ネットブック、またはノート型パーソナルコンピュータであってよい。以下の例では、情報処理装置１２１０は、ＡｐｐｌｅのｉＰａｄなどのタブレット型装置であるとする。
【００６６】
プリンタ１２２０は、ラベルを印刷する能力を有する、当技術分野で理解されているような任意のタイプの印刷装置または画像形成装置とすることができる。以下の例では、印刷装置はＷｉｒｅｌｅｓｓ  Ｂｒｏｔｈｅｒ  ＰＴＰ７５０Ｗなどのラベルプリンタであると仮定されている。
【００６７】
情報処理装置１２１０及びプリンタ１２２０は各々、装置１００のＢｌｕｅｔｏｏｔｈインターフェースを介して装置１００と無線通信が実行可能である。ただし、情報処理装置１２１０及びプリンタ１２２０の各々はまた、装置１００のＵＳＢインターフェースを介した装置１００との有線通信も可能である。さらに、装置１００を含む各装置は、８０２．１１のワイヤレス接続を介したワイヤレスインターネットアクセスポイントへのインターネット接続、またはイーサネットインターフェースなどによるインターネットアクセスポイントへの物理的接続を介して、互いに及び外部の１つまたは複数の装置と通信することができる。情報処理装置１２１０及びプリンタ１２２０は各々、Ｂｌｕｅｔｏｏｔｈ接続などの無線手段も同様に介して、互いに無線通信を行うことができる。
【００６８】
情報処理装置１２１０は、出力容器内へ組成物を調合するために装置１００が使用するレシピを生成する際に使用するための、使用者に関する情報を受信するように構成される。情報処理装置１２１０は、調合された組成物を顧客である使用者に販売する小売店で働く「ビューティーアドバイザ」（ＢＡ）が操作してもよい。しかし、情報処理装置１２１０は、顧客である使用者が直接操作してもよい。
【００６９】
システム１２００によって実行されるプロセスを、図１３に示している。ステップ１３１０において、情報処理装置１２１０は、出力容器に調合される使用者固有のブレンドを作出するためのレシピを決定するために使用される、使用者に関する情報や使用者から情報を受信し、それをより詳細に後述する。ステップ１３２０において、使用者の優先順位に対処するために、混合されるべき１つ以上の化粧品組成物を含むレシピを判定する。この判定は、情報処理装置１２１０の回路によって実行されてもよいが、他の機器と一緒にまたは他の機器で、全体をまとめて判定してもよい。例えば、情報処理装置１２１０は、ステップ１３１０で受信した情報を外部サーバ装置１２３０に提供してもよく、外部サーバ装置の回路がレシピを判定する。あるいは、情報は、レシピを決定することになるブレンド装置１００に直接提供してもよい。最終的に決定されたレシピは、情報処理装置１２１０に出力し、表示させる。ステップ１３３０において、ステップ１３２０で決定されたレシピは、情報処理装置１２１０とブレンド装置との間に存在している、Ｂｌｕｅｔｏｏｔｈ接続などの有線または無線接続を介して、ブレンド装置１３３０に提示される。ブレンド装置１００は、レシピに従って適切な組成物を出力容器内に調合し、上で詳細に説明したようにブレンド組成物を混合する。ステップ１３４０において、プリンタ１２２０は、出力容器の使用者識別情報及びブレンド組成物に関する情報を受信し、それに応じて出力容器に配置されるラベルを印刷する。プリンタは、この情報をブレンド装置１００、情報処理装置１２１０、または外部サーバ１２３０から受信することができる。ステップ１３５０で、使用者は、ブレンド組成物が完成し、取り出す準備ができていることを通知される。この通知は情報処理装置１２１０、装置１００、または外部サーバ１２３０のいずれから来てもよく、通知はシステムに記憶されている使用者の電子メールアドレス宛ての電子メールの形式であっても、ＳＭＳのテキストメッセージの形式であってもよい。
【００７０】
非限定的な例では、情報処理装置１２１０は、レシピを生成するため使用者に関する情報を収集するために一連の質問を使用者に出力するように構成される。しかし、情報処理装置１２１０に情報を入力するために、表示された質問によって促されることなく、使用者が情報処理装置１２１０に表示された適切なフィールドに直接情報を入力する代替実施形態も、利用可能である。
【００７１】
情報処理装置１２１０は、名前、年齢、肌の色調、または使用者のプロファイルを生成するために使用できる他の任意の情報など、使用者に関する伝記的な情報を収集する。使用者のレシピを生成するために、一連の質問またはフィールドが使用者に提示されて、使用者が装置１００の調合する組成物により対処したいと思う肌のコンディションの種類に関する好みを生成する。
【００７２】
質問票に加えて、当技術分野で知られているように、任意の肌の診断を肌診断アプリケーションによって実行することができる。
【００７３】
これらの質問に対する回答、フィールドの記入、または肌診断に基づいて、情報処理装置１２１０は、装置１００によって調合されるブースター組成物及びベース組成物のレシピを生成する。
【００７４】
図１４Ａ及び図１４Ｂは、肌診断後の情報処理装置１２１０の出力画面を示している。この実施形態では、肌診断（本明細書では時々肌プロファイルと称する）は、使用者の顔に対して行われる撮像操作に基づいて、使用者の主な関心事を判定する。診断は、例えば、肌のくすみ、敏感肌、肌の調子、しわ、または油性肌などの関心のあるカテゴリについてのスコアを判定することができる。当技術分野では、Ｌａｎｃｏｍｅ  Ｄｉａｇｎｏｓ  ＡＢＳ、ＨＲ  Ｓｋｉｎｓｃｏｐｅ、Ｂｉｏｔｈｅｒｍ  Ｂｌｕｅｓｍａｒｔ、Ｋｉｅｈｌ’ｓ  Ｓｋｉｎｐｒｏｆｉｌｅｒ  Ｖ．０、ＣＡ  Ｄｅｒｍａｎａｌｙｚｅｒ、及びＶｉｃｈｙ  Ｖｉｃｈｙｃｏｎｓｕｌｔなど、肌診断を実行するための様々な装置が容易に理解される。
【００７５】
３段階の重み付けシステムが図１４Ａに示されており、それにおいて、「高」、「低」、及び「中」の重みを、肌診断によって各関心領域に割り当てることができる。
【００７６】
次に、各関心領域は、レシピで扱われる選択に利用可能になる。図１４Ａに示される実施形態では、関心領域の選択を示すためにチェックマークが使用される。図１４Ａに示しているように、情報処理装置は、肌診断において見出される「高」関心の領域（この特定の例では「くすみ」など）のデフォルトの選択物を含み得る。次に、図１４Ｂは、使用者がレシピに入力したいと望む追加の関心事の領域について使用者が呈示した選択を示している。この特定の非限定的な例では、最大３つの活性ブースター組成物を選択することができる。
【００７７】
図１５は、肌診断を行わず、レシピ作成に寄与するために使用者が直接関心事を情報処理装置に入力したい場合の出力画面の例を示す。
【００７８】
非限定的な例では、レシピに含めるために利用可能な５つの異なるブースター組成物がある。
【００７９】
第１のブースター組成物は、皮膚の垂れ下がり、硬さの欠如、しわなどの関心事に対処する「老化防止」ブースターである。そのような老化防止ブースターの例としては、レチノール、レチノール誘導体、アノゲイススレイオカルプス樹皮エキス、加水分解されたシャクナゲ抽出物、加水分解された亜麻仁エキス、シュードアルテロモナス発酵エキス、マニルカラムルチネルビス葉エキス、ラバンデュラハイブリダ油、マイタケ子実体エキス、ヘラオオバコ葉エキス、シアテアメデュラリス葉エキス、加水分解されたヒアルロン酸、リンゴ果実培養細胞エキス、レスベラトロール、サリチロイルフィトスフィンゴシンが挙げられる。
【００８０】
第２のブースター組成物は、毛穴の詰まり、にきび、頭部が黒くなったにきび、及び光沢のある、または脂っこい肌などの関心事に対処する「油性肌及び不完全性のブースター」である。そのようなブースターの例としては、ヒラマメ種子（レンズマメ）エキス、サルコシン、ボルド葉エキス、クリスマムマリチマムエキス、ナイアシンアミド、サリチル酸、ヒドロキシエチルピペラジンエタンスルホン酸、シモツケソウエキス、ペンタエリスリチルテトラ−ジ−ｔ−ブチルヒドロキシヒドロシンナメートが含まれる。
【００８１】
第３のブースター組成物は、肌のがさつき、くすみ、及び乾燥肌のような関心事に取り組む「くすみ及び乾燥」ブースターである。そのようなブースターの例としては、加水分解コメタンパク、ジャノヒゲ根エキス、キノア種子エキス、タマリンドシードガム、キシリチルグルコシド（および）アンヒドロキシリトール（および）キシリトール、セラミド誘導体、ヒマワリ（向日葵）種子油不けん化物、ミリスチルリンゴ酸ホスホン酸、マンノース、２−オレアミド−１，３−オクタデカンジオールが挙げられる。
【００８２】
第４のブースター組成物は、ムラ、しみ、及び色素沈着などの関心事に対処する「肌の色調」ブースターである。そのようなブースターの例としては、アセチルトリフルオロメチルフェニルバリルグリシン、アスコルビン酸および誘導体、フェニルエチルレゾルシノール、ディオスコレアビロサ（野生ヤマノイモ）根エキス、ヒドロキシフェノキシプロピオン酸、ヒドロキシパルミトイルスフィンガニン、フェルラ酸、ジラウリン酸スクロース（および）エンドウ（エンドウ豆）エキス、サッカロミセス／キシリヌム／紅茶培養物、ハス花エキスが挙げられる。
【００８３】
第５のブースター組成物は、発赤、しみのある肌、及びアレルギーなどの関心事に取り組む「敏感肌」ブースターである。このようなブースターの例には、マデカソシド、異性化糖、パルミトイルトリペプチド−８、パンテノール、オリーブ葉エキス、セイヨウハッカ（ペパーミント）エキス、セイヨウウスユキソウエキス、グリチルリチン酸二カリウム、アセチルジペプチド−１セチルエステル、アセチルテトラペプチド−１５、ボスウェリアセラタエキス、パルミトイルプロリンナトリウム（および）ニンファエアアルバ花エキス抽出物、パルミトイルナトリウムナトリウム（及び）ニンファアルバフラワー抽出物が挙げられる。
【００８４】
図１６は、レシピに含まれるベース組成物の種類を選択するように使用者に促すための出力画面の例を示す。この例における選択は、クリームベースまたはセラムベースの間である。
【００８５】
図１７は、明るい肌理とリッチな肌理との間でブレンド組成物の肌理の種類を選択するように使用者に促すための出力画面の例を示す。明るい肌理またはリッチな肌理の選択は、使用者がクリームベースまたはセラムベースの間で決定した後にどの特定の種類のベース組成物を使用するかの選択である。当技術分野で理解されているように、様々な種類のクリームベースがあり、一方は一次乳化剤として糖エステルを含む従来の水中油型エマルジョンクリームなどの明るい肌理であり得、もう一方はリッチな肌理、例えば一次乳化剤として乳化シリコーンエラストマー（ＫＳＧ２１０）を含む油中水型エマルジョンクリームを有し得る。同様に、明るい肌理のあるセラムの例は、ヒアルロン酸ナトリウムを含む乳化ゲルなどの、塗布時により水気が多いものである。リッチな肌理に関するセラムの例は、高濃度の非乳化シリコーンエラストマーを含む乳化ゲルのような、良好な展延性を有するものである。
【００８６】
図１８は、クリーンな香り、老化防止の香り、潤いを補う香り、または無香の間でレシピに含まれる香気の種類を選択するように使用者に促すための出力画面の例を示している。これらのタイプの香気ブースター組成物は、香料と溶剤ベースとの組み合わせに基づいて当技術分野において容易に理解される。
【００８７】
図１９は、上記で判定させた優先度または関心事に基づいて使用者のための特定のレシピを判決するために使用される一組の規則の例を示す。図１９に示すように、この実施例で、全ブレンド組成物のうち、９０％がベース組成物から構成され、１０％がブースター組成物から構成され、１％が香気ブースター用に使用されていることが分かる。個々の残りのブースターは、全ブレンド組成物の３％の倍数で使用される。肌の関心事が１つだけ最優先事項として受け取られた場合、９％（３×３％）すべてが同じブースターになる。
【００８８】
２つの肌の関心事が最優先される場合、２つの肌の関心事のそれぞれに与えられる相対的な重みに応じ、２つの場合がある。２つの肌の関心事が同じ重みを有する場合、ブースターの単一の各３％のショットがレシピに追加され、その間にベース組成物のさらに３％のショットが同様に追加される。２つの肌の関心事のうちの１つがより重みを持っている場合、６％（２×３％）が重みの高い側の肌の関心事に対応するブースターに使用され、３％が低い側の重みの肌の関心事に対応するブースターに使用される。
【００８９】
３つの肌の関心事が最優先にされる場合、各々の肌の関心事に対応する各ブースターの単一の３％のショットがレシピに追加される。
【００９０】
図２０は、レシピを判定するために、選択されたベース組成物、選択された香気ブースター、及び使用者の最優先事項に対応する１つまたは複数のブースター組成物の割り当ての百分率の組み合わせとして、情報処理装置の回路が実行するプロセスまたはアルゴリズムを示す。
【００９１】
ステップ２０１０において、回路はベース組成物及び香気ブースターの選択を受信し、これらの選択のそれぞれに、全体のブレンド組成物のレシピの所定の割合をそれぞれ割り当てる。図１９に示す規則のセットでは、ベース組成物に割り当てられた所定の割合が９０％であり、香気ブースターに割り当てられた所定の割合が１％である例が設けられている。
【００９２】
ステップ２０１２において、回路は、使用者の最優先の肌の関心事の数Ｎを受信し、また任意選択で、高、中、または低などの最優先の肌の関心事のそれぞれに対応する重みを受信する。最優先の肌の関心事の数が１つである場合、プロセスはステップ２０１４に進み、ここで回路は、ベース組成物及び香気ブースターにすでに割り当てられている百分率を差し引いた後、ブレンド組成物レシピの残りの百分率すべてが、１つの最優先の関心事に対応するブースター組成物に割り当てられているか判定する。図１９の規則のセットの例に示しているように、Ｎ＝１のとき、１つの最優先ブースター組成物に９％（３×３％）が割り当てられることになる。
【００９３】
あるいは、Ｎ＝３の場合、プロセスはステップ２０１６に進む。このステップでは、回路は、ベース組成物及び香気ブースターにすでに割り当てられている百分率を引いた後、ブレンド組成物レシピの残りの百分率が、３つの最優先の関心事のそれぞれに対応するブースター組成物に等しく分けられていることを判定する。図１９の規則のセットの例に示しているように、Ｎ＝３のとき、最優先ブースター組成物のそれぞれの３％がレシピに割り当てられることになる。
【００９４】
あるいは、Ｎ＝２である場合、プロセスはステップ２０１８に進み、ここで、２つの最優先の関心事のうちの一方が他方の最優先の関心事よりも高い重みを有するかどうかに関するさらなる判定が行われる。
【００９５】
最優先の関心事の各々が等しい重みを有する（両方とも「中」の重みを有するなど）場合、プロセスはステップ２０２０に進み、ここで回路は、ベース組成物及び香気ブースターにすでに割り当てられている百分率の減算後、ブレンド組成物レシピの残りの百分率が、２つの最優先の関心事とベース組成物とのそれぞれに対応するブースター組成物に等しい部分で割り当てられていることを判定する。図１９の規則のセットの例に示しているように、これは事例Ａに対応し、この場合最優先ブースターの各々が３％の割り当てを受け、残りの３％がベース組成物の追加のショットに割り当てられる。したがって、このシナリオでは、ベース組成物は実際にブレンド組成物レシピ全体の９３％を占める。
【００９６】
ステップ２０１８からの２つの最優先の関心事の一方が他方の最優先の関心事よりも高い重みを有する場合、プロセスはステップ２０２２に進み、ここで回路は、ベース組成物及び香気ブースターにすでに割り当てられている百分率の減算後、所定の大半の部分の量が、より高い優先度のブースターに割り当てられ、所定の少ない方の量が、低優先度のブースターに割り当てられるように、ブレンド組成物レシピの残りの百分率が割り当てられる。図１９の例では、これは、優先順位の高いブースターが６％（２×３％）の割り当てを受け取り、優先順位の低いブースターが３％の割り当てを受け取ることを意味する。
【００９７】
選択されたベース組成物、選択された香気ブースター、及び使用者の最優先事項に対応する１つまたは複数のブースター組成物に最終的に割り当てられる割合を判定した後、プロセスは終了し、最終的なレシピが決定される。その後、最終的なレシピをブレンド装置１００に送信及び／または記憶することができる。上述のように、情報処理装置、外部サーバ、またはブレンド装置１００の回路は、図２０に示す処理を実行し得る。
【００９８】
さらに、レシピを決定するために、図２０のアルゴリズムとは異なるアルゴリズムを利用することができる。例えば、２つの主な関心事を判定するアルゴリズムを利用することができる。Ｘ軸に関する第１の関心事と、Ｙ軸に関する第２の関心事とを含む２次元の表に基づいて、ベースは表の２つの関心事の交差によって判定される。その後、診断の質問と生活習慣の質問を組み合わせたアンケートを消費者に渡すことができる。質問へのそれぞれの肯定的な答えはレシピに追加された１ブースターの一部の量により変換される。ブースターの数に応じて、ベースの体積はレシピの総体積の１００％から９０％の間で調整される。
【００９９】
この時点で、ブレンド装置は図９に示されるプロセスを実行し、ここで、カルーセルに挿入された現在のカートリッジは、受信したレシピに必要なベース及びブースターカートリッジに対してチェックされる。必要なカートリッジが挿入されていない場合、ブレンド装置は、ブレンド装置の使用者（ビューティーアドバイザ、ＢＡなど）に、正しいカートリッジを挿入する必要があることを知らせるメッセージを（例えば、表示モジュール７８０に）出力する。図１２に示しているように、ＢＡは次に在庫１２４０から必要なカートリッジを取り出し、正しいカートリッジをブレンド装置に挿入することができる。このプロセスの間、ブレンド装置１００の上部アクセスパネルが開閉されると、ブレンド装置は、ＮＦＣインターフェースを使用して、現在設置されているカートリッジを判定するためにスキャンを実行する。正しいカートリッジが設置されている場合は、図１０及び図１１に示すプロセスが実行され、ブレンド組成物を調合し混合する。
【０１００】
図１２に示しているシステム１２００を使用してエンドツーエンドプロセスがどのように進行し得るかの例を提示する詳細なフローチャートが、図２１に示されている。
【０１０１】
第１のサブプロセス２１０１は、タブレットデバイス１２１０のビューティーアドバイザリ（ＢＡ）によって実行され、この場合ＢＡが初めてログインしているのであればＢＡが登録情報を入力し、そうでなければＢＡが既存のログイン情報を入力する。次に、サブプロセス２１０２がタブレット１２１０に対して実行され、ここで顧客が初めてログインしているのであれば、顧客は登録情報を入力し、そうでない場合、顧客は既存のログイン情報を入力する。次に、ステップ２１０３で、ブレンドの種類の選択がタブレット１２１０に入力される。自動ブレンドが生成されるか、手動のブレンドが入力されるか、既存のレシピが選択される。自動ブレンドが選択されると、プロセスは２１０４に移り、そこで肌診断が行われる。肌診断は、上述したように、使用者にとって関心のある領域を識別するために、上述したツールのいずれか１つによって実行される。肌診断の結果が出力された後、ＢＡはステップ２０１５で顧客に質問して、最上位の肌の関心事（優先度）を判定する。最上位の肌の優先度に基づいて、ブレンドのレシピがステップ２１０６で判定される。手動のブレンドまたは既存のレシピがサブプロセス２１０３で選択された場合、これらの選択は直接ステップ２１０６に進む。
【０１０２】
ブレンドのレシピが決定された後、レシピは装置／機械１００に送られ、そこでステップ２１０７でレシピの成分がチェックされる。材料が良ければ、装置／機械１００はＢＡに促し、ジャー（出力容器）を調合領域に入れ（２１０８）、次にステップ２１０９で原料をブレンドして出力容器に調合するプロセスが実行される。不正確なベースまたはブースターカートリッジが装置１００に挿入されている、ベースまたはブースターカートリッジのうちの１つの体積が少ない、期限切れのベースまたはブースターカートリッジである、またはベースまたはブースターカートリッジが欠損しているなど、成分チェックプロセスにてエラーがある場合、装置／機械１００はステップ２１１０でエラーを正すようにＢＡに促す。
【０１０３】
ステップ２１１１において、調合プロセスが進行中である。ステップ２１１２で、プロセスのうちの１つにおけるロックアップにより、または主要な蓋が開いていることにより、調合がエラーを受ける可能性がある。調合プロセスの間にエラーがある場合、装置／機械１００は、ステップ２１１３で、エラーを修正するようにＢＡを促す。調合プロセスがエラーなしで進行する場合（２１１２でＯＫ）、ＢＡは調合が完了したことを通知され、ステップ２１１４で、ＢＡは、ジャー／出力容器を閉じて、ジャーをミキサーに入れるように促される。出力容器がミキサーに置かれると、アクセスパネルが閉じた後、ＢＡはステップ２１１５でミキサーを開始する。同時に、または混合ステップが完了した後、タブレット１２１０は、電子メールアドレスなどの消費者情報を検索し（２１１６）、ジャー／出力容器のラベルを印刷するようにプリンタに指示を送信する（２１１７）。
【０１０４】
ステップ２１１８で、調合プロセスが進行中である。ステップ２１１９で、主要な蓋が開いていることによるエラーがあるかどうかを判定するために混合をチェックすることができる。混合プロセス中にエラーがある場合、装置／機械１００は、ステップ２１２０でエラーを修正するようにＢＡに促す。混合プロセスがエラーなしで進行する場合（２１１９でＯＫ）、混合が完了し、出力容器は準備態勢が整っている。
【０１０５】
ステップ２１２１で、プリンタへの接続の失敗によるエラーがあるか、プリンタがオフになっているか、プリンタのインクが不足しているか、印刷媒体（ラベルなど）が挿入されているかを判定するために、印刷をチェックできる。印刷プロセスの間にエラーがある場合、装置／機械１００は、ステップ２１２２でエラーを修正するようにＢＡに促す。印刷プロセスがエラーなしで進行する場合（２１２１でＯＫ）、印刷は完了する。
【０１０６】
混合と印刷の両方が完了したとき、最終的な生成物は準備ができていると見なされる（２１２３）。この時点で、タブレット１２１０は、検索された消費者情報に基づいて電子メール（またはテキストメッセージ）を使用者に送信して、最終的な生成物が取り出す準備態勢になっていることを使用者に通知する。さらに、消費者に関連する最終的な生成物の記録が外部装置１２３０に送信され（すなわち、「クラウド」に投稿され）、プロセスが完了する。
【０１０７】
上記の教示に照らして、本開示の多数の修正形態及び変形形態が可能である。したがって、添付の特許請求の範囲内で、特許請求の範囲に記載された発明は、本明細書に具体的に記載されたものとは別の方法で実施され得る旨を理解されたい。
【図１Ａ】
2019534140.tif 000003
【図１Ｂ】
2019534140.tif 000004
【図１Ｃ】
2019534140.tif 000005
【図２−１】
2019534140.tif 000006
【図２−２】
2019534140.tif 000007
【図２−３】
2019534140.tif 000008
【図３】
2019534140.tif 000009
【図４Ａ】
2019534140.tif 000010
【図４Ｂ】
2019534140.tif 000011
【図５】
2019534140.tif 000012
【図６Ａ】
2019534140.tif 000013
【図６Ｂ】
2019534140.tif 000014
【図６Ｃ】
2019534140.tif 000015
【図６Ｄ】
2019534140.tif 000016
【図６Ｅ】
2019534140.tif 000017
【図６Ｆ】
2019534140.tif 000018
【図６Ｇ】
2019534140.tif 000019
【図６Ｈ】
2019534140.tif 000020
【図６Ｉ】
2019534140.tif 000021
【図６Ｊ】
2019534140.tif 000022
【図６Ｋ】
2019534140.tif 000023
【図７】
2019534140.tif 000024
【図８】
2019534140.tif 000025
【図９】
2019534140.tif 000026
【図１０】
2019534140.tif 000027
【図１１Ａ】
2019534140.tif 000028
【図１１Ｂ】
2019534140.tif 000029
【図１２】
2019534140.tif 000030
【図１３】
2019534140.tif 000031
【図１４Ａ】
2019534140.tif 000032
【図１４Ｂ】
2019534140.tif 000033
【図１５】
2019534140.tif 000034
【図１６】
2019534140.tif 000035
【図１７】
2019534140.tif 000036
【図１８】
2019534140.tif 000037
【図１９】
2019534140.tif 000038
【図２０】
2019534140.tif 000039
【図２１】
2019534140.tif 000040
【国際調査報告】
2019534140.tif 000041
2019534140.tif 000042
2019534140.tif 000043